(57)【要約】【課題】本考案は、購入者等が容易に消しゴムを取り出すことができる消しゴム供給装置を提供することを課題とする。【解決手段】外部から内部に消しゴムを導入する導入口２と、消しゴム１００を内部から外部に供給する供給口３と、導入口２と供給口３を繋ぐ供給通路５を有し、導入口２は、設置状態において、供給口３に対して高い位置にあり、供給通路５は、壁面に囲まれて形成されており、壁面には、導入口２と供給口３を繋ぐ貫通溝２０が形成されている構成とする。【選択図】図１０
0003195181.tif 000002
【実用新案登録請求の範囲】
【請求項１】
壁に対して固定される壁掛け用消しゴム供給装置であって、
外部から内部に消しゴムを導入する導入口と、消しゴムを内部から外部に供給する供給口と、前記導入口と供給口を繋ぐ供給通路を有する壁掛け用消しゴム供給装置において、
前記導入口は、設置状態において、前記供給口に対して高い位置にあり、
前記供給通路は、壁面に囲まれて形成されており、
前記壁面には、導入口と供給口を繋ぐ貫通溝が形成されていることを特徴とする壁掛け用消しゴム供給装置。
【請求項２】
前記供給通路は、一枚の板材を折り曲げ加工して形成されていることを特徴とする請求項１に記載の壁掛け用消しゴム供給装置。
【請求項３】
供給口からの消しゴムの落下を防止する落下防止部を有し、
前記落下防止部は、傾斜壁部と、係止壁部から形成されており、
前記傾斜壁部は、供給通路の壁面と連続し、当該壁面に対して供給口を塞ぐ方向に傾斜しており、
前記係止壁部は、前記傾斜壁部に対して交差する方向であって、かつ、消しゴムの端面を載置可能であることを特徴とする請求項１又は２に記載の壁掛け用消しゴム供給装置。
【請求項４】
固定部材を有し、
前記固定部材は、壁に固定されて壁掛け用消しゴム供給装置の姿勢を保持するものであり、
前記壁面は、供給通路の背面側を囲む背面形成部を有し、
前記背面形成部は、設置姿勢において、供給通路の背面側に位置するものであり、
前記固定部材は、前記背面形成部に取り付けられていることを特徴とする請求項１〜３のいずれかに記載の壁掛け用消しゴム供給装置。
【請求項５】
前記固定部材は、環状に連続した紐体であることを特徴とする請求項４に記載の壁掛け用消しゴム供給装置。
【請求項６】
前記壁面は、供給通路の正面側を囲む正面形成部を有し、
前記貫通溝は、正面形成部に設けられていることを特徴とする請求項１〜５のいずれかに記載の壁掛け用消しゴム供給装置。
【請求項７】
前記正面形成部は、設置姿勢において、貫通溝に沿った切り欠き部を有し、
前記切り欠き部は、前記導入口から貫通溝の縁に沿って下方に向かって延びており、さらにその切り欠き幅が下方に向かうにつれて小さくなっていることを特徴とする請求項６に記載の壁掛け用消しゴム供給装置。
【請求項８】
壁に対して固定される壁掛け用消しゴム供給装置であって、
外部から内部に消しゴムを導入する導入口と、消しゴムを内部から外部に供給する供給口と、前記導入口と供給口を繋ぐ供給通路を有する壁掛け用消しゴム供給装置において、
前記導入口は、設置状態において、前記供給口に対して高い位置にあり、
前記供給通路は、壁面に囲まれて形成されており、
前記壁面には、導入口と供給口を繋ぐ貫通溝が形成されており、
供給口からの消しゴムの落下を防止する落下防止部を有し、
前記落下防止部は、傾斜壁部と、係止壁部から形成されており、
前記傾斜壁部は、供給通路の壁面と連続し、当該壁面に対して供給口を塞ぐ方向に傾斜しており、
前記係止壁部は、前記傾斜壁部に対して交差する方向であって、かつ、消しゴムの端面を載置可能であり、
前記壁面は、供給通路の正面側を囲む正面形成部を有し、
前記貫通溝は、正面形成部に設けられていることを特徴とする壁掛け用消しゴム供給装置。
【請求項９】
壁に対して固定される壁掛け用供給装置であって、
外部から内部に被供給物を導入する導入口と、被供給物を内部から外部に供給する供給口と、前記導入口と供給口を繋ぐ供給通路を有する壁掛け用供給装置において、
前記導入口は、設置状態において、前記供給口に対して高い位置にあり、
前記供給通路は、壁面に囲まれて形成されており、
前記壁面には、導入口と供給口を繋ぐ貫通溝が形成されていることを特徴とする壁掛け用供給装置。
【考案の詳細な説明】
【技術分野】
【０００１】
本考案は、消しゴム等を連続的に供給可能な壁掛け用消しゴム供給装置及び壁掛け用供給装置に関する。特に、本考案は、陳列棚の壁面や建物の壁面等に固定されて使用される壁掛け用消しゴム供給装置及び壁掛け用供給装置に関する。
【背景技術】
【０００２】
従来から、文具店では、上方が開口した直方体状の陳列箱に消しゴムを敷き詰めて販売されている（例えば、特許文献１）。すなわち、従来の文具店では、陳列箱の中に何段にも消しゴムを積み重ねるとともに、隙間なく面状に敷き詰めて陳列棚に陳列して販売されている。
【先行技術文献】
【特許文献】
【０００３】
【特許文献１】特開２００８−２８５２２０号公報
【考案の概要】
【考案が解決しようとする課題】
【０００４】
しかしながら、従来の陳列箱は、上記したように、隙間なく消しゴムが敷き詰められているため、消しゴム間の隙間に指が入りにくく、購入者が取り出しにくいという問題があった。また、特許文献１の陳列箱の場合、陳列棚に載置する必要があるため、大きな設置場所が必要という問題があった。
【０００５】
そこで、本考案は、購入者等が容易に消しゴム等を取り出すことができる消しゴム供給装置及び壁掛け用供給装置を提供することを課題とする。
【課題を解決するための手段】
【０００６】
上記した課題を解決するための請求項１に記載の考案は、壁面に対して固定される壁掛け用消しゴム供給装置であって、外部から内部に消しゴムを導入する導入口と、消しゴムを内部から外部に供給する供給口と、前記導入口と供給口を繋ぐ供給通路を有する壁掛け用消しゴム供給装置において、前記導入口は、設置状態において、前記供給口に対して高い位置にあり、前記供給通路は、壁面に囲まれて形成されており、前記壁面には、導入口と供給口を繋ぐ貫通溝が形成されていることを特徴とする壁掛け用消しゴム供給装置である。
【０００７】
本考案の構成によれば、導入口が設置状態において供給口に対して高い位置にあり、供給通路は、壁面に囲まれて形成されているので、導入口から導入された消しゴムは、供給通路に沿って、重力で供給側に進行する。そのため、消しゴムを補充すると、常に供給口に近い位置に消しゴムが位置するので、購入者等は、供給口から容易に消しゴムを取り出すことができる。
また、本考案の構成によれば、供給通路を形成する壁面に導入口と供給口を繋ぐ貫通溝が形成されているので、消しゴムの補充時に消しゴムが傾き、供給通路内で詰まったとしても、貫通溝に沿って指で詰まった消しゴムを押圧することによって、消しゴムの詰まりを解消することが可能となる。そのため、安定した消しゴムの供給が可能な壁掛け用消しゴム供給装置となる。
【０００８】
請求項２に記載の考案は、前記供給通路は、一枚の板材を折り曲げ加工して形成されていることを特徴とする請求項１に記載の壁掛け用消しゴム供給装置である。
【０００９】
本考案の構成によれば、製造が容易である。
【００１０】
請求項３に記載の考案は、供給口からの消しゴムの落下を防止する落下防止部を有し、前記落下防止部は、傾斜壁部と、係止壁部から形成されており、前記傾斜壁部は、供給通路の壁面と連続し、当該壁面に対して供給口を塞ぐ方向に傾斜しており、前記係止壁部は、前記傾斜壁部に対して交差する方向であって、かつ、消しゴムの端面を載置可能であることを特徴とする請求項１又は２に記載の壁掛け用消しゴム供給装置である。
【００１１】
本考案の構成によれば、供給通路の供給口から供給された消しゴムは、傾斜壁部に沿ってスライド移動し、係止壁部によって係止される。すなわち、本考案の構成によれば、傾斜壁部は、購入者側に傾斜しており、購入者は、供給通路に対して手前側で消しゴムを取り出すことができるため、取り出しやすい。
【００１２】
請求項４に記載の考案は、固定部材を有し、前記固定部材は、壁に固定されて壁掛け用消しゴム供給装置の姿勢を保持するものであり、前記壁面は、供給通路の背面側を囲む背面形成部を有し、前記背面形成部は、設置姿勢において、供給通路の背面側に位置するものであり、前記固定部材は、前記背面形成部に取り付けられていることを特徴とする請求項１〜３のいずれかに記載の壁掛け用消しゴム供給装置である。
【００１３】
本考案の構成によれば、固定部材は、背面形成部に取り付けられているため、壁に壁掛け用消しゴム供給装置を固定しやすい。
【００１４】
請求項５に記載の考案は、前記固定部材は、環状に連続した紐体であることを特徴とする請求項４に記載の壁掛け用消しゴム供給装置である。
【００１５】
本考案の構成によれば、壁掛け用消しゴム供給装置を壁面に取り付けやすい。例えば、壁面に直立した釘等の係止片に引っかけやすい。
【００１６】
請求項６に記載の考案は、前記壁面は、供給通路の正面側を囲む正面形成部を有し、前記貫通溝は、正面形成部に設けられていることを特徴とする請求項１〜５のいずれかに記載の壁掛け用消しゴム供給装置である。
【００１７】
本考案の構成によれば、貫通溝が正面形成部に設けられており、購入者等にとって手前側に貫通溝が位置するため、消しゴムが供給通路内で詰まった場合に消しゴムの操作を行いやすい。
また、本考案の構成によれば、貫通溝から供給通路内の状態が視認できるため、消しゴムの残量を把握しやすい。そのため、消しゴムの欠品を容易に確認できる。
【００１８】
請求項７に記載の考案は、前記正面形成部は、設置姿勢において、貫通溝に沿った切り欠き部を有し、前記切り欠き部は、前記導入口から貫通溝の縁に沿って下方に向かって延びており、さらにその切り欠き幅が下方に向かうにつれて小さくなっていることを特徴とする請求項６に記載の壁掛け用消しゴム供給装置である。
【００１９】
本考案の構成によれば、導入口に沿って切り欠き部が形成されているため、消しゴムを供給通路に導入しやすい。
【００２０】
請求項８に記載の考案は、壁に対して固定される壁掛け用消しゴム供給装置であって、外部から内部に消しゴムを導入する導入口と、消しゴムを内部から外部に供給する供給口と、前記導入口と供給口を繋ぐ供給通路を有する壁掛け用消しゴム供給装置において、前記導入口は、設置状態において、前記供給口に対して高い位置にあり、前記供給通路は、壁面に囲まれて形成されており、前記壁面には、導入口と供給口を繋ぐ貫通溝が形成されており、供給口からの消しゴムの落下を防止する落下防止部を有し、前記落下防止部は、傾斜壁部と、係止壁部から形成されており、前記傾斜壁部は、供給通路の壁面と連続し、当該壁面に対して供給口を塞ぐ方向に傾斜しており、前記係止壁部は、前記傾斜壁部に対して交差する方向であって、かつ、消しゴムの端面を載置可能であり、前記壁面は、供給通路の正面側を囲む正面形成部を有し、前記貫通溝は、正面形成部に設けられていることを特徴とする壁掛け用消しゴム供給装置である。
【００２１】
本考案の構成によれば、購入者等が容易に消しゴムを取り出すことができる。
【００２２】
請求項９に記載の考案は、壁に対して固定される壁掛け用供給装置であって、外部から内部に被供給物を導入する導入口と、被供給物を内部から外部に供給する供給口と、前記導入口と供給口を繋ぐ供給通路を有する壁掛け用供給装置において、前記導入口は、設置状態において、前記供給口に対して高い位置にあり、前記供給通路は、壁面に囲まれて形成されており、前記壁面には、導入口と供給口を繋ぐ貫通溝が形成されていることを特徴とする壁掛け用供給装置である。
【００２３】
ここでいう「被供給物」とは、供給対象となる物体を表し、例えば、消しゴムやステープラ用つづり針などが挙げられる。
【００２４】
本考案の構成によれば、購入者等が容易に被供給物を取り出すことができる。
【考案の効果】
【００２５】
本考案の壁掛け用消しゴム供給装置及び壁掛け用供給装置によれば、購入者等が容易に消しゴム等を取り出すことができる。
【図面の簡単な説明】
【００２６】
【図１】本考案の第１実施形態における壁掛け用消しゴム供給装置の設置状況を表す斜視図である。
【図２】消しゴムの説明図であり、（ａ）は上方側からみた斜視図であり、（ｂ）は下方側からみた斜視図である。
【図３】図１に示される壁掛け用消しゴム供給装置の斜視図である。
【図４】図３に示される壁掛け用消しゴム供給装置の横断面図である。
【図５】図３に示される壁掛け用消しゴム供給装置の正面図であり、壁面固定部材を省略している。
【図６】図３に示される壁掛け用消しゴム供給装置の側面図であり、壁面固定部材を省略している。
【図７】図３に示される壁掛け用消しゴム供給装置の展開図であり、壁面固定部材を省略している。
【図８】図３の壁掛け用消しゴム供給装置を壁面に取り付ける際の説明図であり、取り付ける際の軌跡を矢印で表す。
【図９】図３の壁掛け用消しゴム供給装置の機能の説明図であり、消しゴムを充填する際の斜視図である。
【図１０】図３の壁掛け用消しゴム供給装置の機能の説明図であり、消しゴムを取り出す際の斜視図である。
【図１１】図３の壁掛け用消しゴム供給装置の機能の説明図であり、消しゴムが詰まったときの斜視図である。
【図１２】本考案の他の実施形態における壁掛け用消しゴム供給装置の設置状況を表す斜視図である。
【考案を実施するための形態】
【００２７】
以下に、本考案の第１実施形態について説明する。
なお、以下の説明において、特に断りがない限り、上下左右の位置関係は、通常の設置位置（図１）を基準に説明する。すなわち、壁掛け用消しゴム供給装置１が壁５０に対して固定された状態を基準とする。
【００２８】
本考案の第１実施形態に係る壁掛け用消しゴム供給装置１（壁掛け用供給装置）は、文具店等に陳列する消しゴム１００（被供給物）の陳列装置である。
壁掛け用消しゴム供給装置１は、導入口２から直方体状の消しゴム１００を導入し、供給口３から消しゴム１００を払い出すことが可能となっている。
【００２９】
壁掛け用消しゴム供給装置１の説明に先立って、まず、壁掛け用消しゴム供給装置１に使用する消しゴム１００の一例について説明する。
【００３０】
消しゴム１００は、公知の消しゴムであって、直方体状の消しゴムである。
すなわち、消しゴム１００は、図２に示されるように、主面を形成する正面部１０１及び背面部１０２と、その側面を形成する上側面部１０３、下側面部１０４、左側面部１０５、及び右側面部１０６を有している。
【００３１】
続いて、本実施形態の壁掛け用消しゴム供給装置１について説明する。
【００３２】
壁掛け用消しゴム供給装置１は、図３，図７から読み取れるように、主に一枚の板材を折り曲げて形成されるものである。壁掛け用消しゴム供給装置１は、図３に示されるように、供給通路５と、落下防止部６と、壁面固定部材７と、を有している。
【００３３】
供給通路５は、消しゴム１００が通過する通過空間であり、その周囲が壁面形成部材８に囲まれて形成されるものである。
具体的には、供給通路５は、図４から読み取れるように、背面形成部１０と、側面形成部１１，１２と、正面形成部１５からなる壁面形成部材８によって囲繞されて形成されている。
背面形成部１０は、図６に示されるように、壁掛け用消しゴム供給装置１の背面を形成する長方形状の板状部位であり、図３に示されるように、設置姿勢において、その長辺が天地方向（上下方向Ｚ）を向いている。
背面形成部１０の幅（短手方向の長さ）は、消しゴム１００の正面形成部１５の長さ（長手方向の長さ）と同程度かやや大きい。
上下方向Ｚの背面形成部１０の上端部近傍には、図５に示されるように、壁面固定部材７を取り付け可能な取付部２５を有している。
具体的には、取付部２５は、図３に示されるように、背面形成部１０の部材厚方向に貫通した２つの貫通孔２６，２７である。すなわち、貫通孔２６，２７に壁面固定部材７を挿通させることによって取り付け可能となっている。
【００３４】
側面形成部１１，１２は、図４に示されるように、壁掛け用消しゴム供給装置１の左右側面を形成する部位であって、背面形成部１０の幅方向Ｘ（左右方向）の両端部から前方（手前）に向かって立設された部位である。
また、側面形成部１１，１２は、図６のように、側面視したときに台形状の板状部位であり、上下方向Ｚに延びている。
側面形成部１１，１２の幅（前後方向の長さ）は、消しゴム１００の側面部１０５，１０６の幅と同程度となっている。
側面形成部１１，１２は、図３，図４から読み取れるように、供給通路５を挟んで横方向Ｘに対向している。
【００３５】
正面形成部１５は、図５に示されるように、壁掛け用消しゴム供給装置１の正面を形成する部位である。
正面形成部１５は、導入口２から供給口３を繋ぐ貫通溝２０を有している。
貫通溝２０は、図５に示されるように、正面視したときに、正面形成部１５を２つの壁面部１６，１７に分割する溝であり、正面形成部１５を部材厚方向に貫通した溝である。
また、貫通溝２０は、所定の幅をもって帯状に延びた溝であり、その溝幅は、消しゴム１００の長手方向の長さの１／２以上２／３以下となっている。具体的には、本実施形態の貫通溝２０の溝幅は、３ｃｍ〜４ｃｍとなっている。
【００３６】
壁面部１６，１７は、略長方形状の板状の部位であり、その上端部であって、貫通溝２０側の端部は、切り欠き部２１，２２が形成されている。
切り欠き部２１，２２は、壁面部１６，１７の下方から上方に向けて、壁面部１６，１７同士の距離が離れるように切り欠かれた切り欠きである。
この切り欠き部２１，２２は、側面形成部１１，１２から貫通溝２０につながるように形成されており、壁面部１６，１７の上端部に傾斜面を形成している。
また、壁面部１６，１７は、その下端部であって、貫通溝２０側の端部が小さく切り欠かれている。すなわち、壁面部１６，１７の下側の角部は面取りされている。
【００３７】
落下防止部６は、図３，図６から読み取れるように、傾斜壁部３０と、係止壁部３１から形成されている。
傾斜壁部３０は、供給口３から排出された消しゴム１００の流れ方向を変更する壁部である。具体的には、傾斜壁部３０は、供給通路５を通過した消しゴム１００を前方側（手前側）に移動させる壁部である。
また、傾斜壁部３０は、図６に示されるように、背面形成部１０と連続する壁部であって、かつ、背面形成部１０の下端部から所定の角度で傾斜した壁部である。
図６に示される傾斜壁部３０の背面形成部１０に対する傾斜角度θは、鈍角となっており、具体的には、１００度以上１２０度以下となっている。
【００３８】
係止壁部３１は、傾斜壁部３０と連続し、傾斜壁部３０の下端部から立ち上がった壁部であり、消しゴム１００の一部と係止可能な係止片である。係止壁部３１は、消しゴム１００の下側面部１０４と略同一形状をした壁部である。
係止壁部３１の傾斜壁部３０に対する傾斜角度δは、消しゴム１００の縁の角度（背面部１０２と下側面部１０４とでなす角度）と近い角度となっており、具体的には、８５度以上９５度以下となっている。
【００３９】
壁面固定部材７は、図１に示されるように、壁５０に立設された突起等の吊り下げ部１１０に吊り下げて固定する部材である。具体的には、壁面固定部材７は、環状に連続した紐状の部材である。
具体的には、壁面固定部材７は、ボールチェーンであり、ボールをアタッチメント（コネクタ）から着脱することによって、背面形成部１０から着脱可能である。
【００４０】
続いて、本実施形態の壁掛け用消しゴム供給装置１の使用方法について説明する。
【００４１】
まず、図８に示されるように、壁５０に対して壁掛け用消しゴム供給装置１を固定する。
このとき、壁掛け用消しゴム供給装置１は、壁面固定部材７が吊り下げ部１１０に引っかけられて吊り下げられており、吊り下げ部１１０に垂下された状態となっている。また、壁掛け用消しゴム供給装置１は、壁５０に対して縦姿勢で固定されており、導入口２は、供給口３よりも高い位置に配されている。具体的には、導入口２は、壁掛け用消しゴム供給装置１の上端部近傍に位置するのに対して、供給口３は壁掛け用消しゴム供給装置１の下端部近傍に位置する。
【００４２】
続いて、図９に示されるように、導入口２から消しゴム１００を入れていき、供給通路５に消しゴム１００を充填する。
このとき、消しゴム１００ａを入れると、供給通路５を通過して落下防止部６の係止壁部３１で係止され、係止壁部３１上に消しゴム１００ａが載置される。
すなわち、消しゴム１００ａの下側面部１０４は、落下防止部６の係止壁部３１と面接触して係止されており、消しゴム１００ａの背面部１０２は、傾斜壁部３０と面接触している。消しゴム１００ａは、水平姿勢に対して傾いた姿勢となっている。
さらに消しゴム１００ｂを入れると、供給通路５を通過して消しゴム１００ａの上側面部１０３上に消しゴム１００ｂが載置される。すなわち、消しゴム１００ａの上側面部１０３が消しゴム１００ｂの下側面部１０４と面接触している。
また、消しゴム１００ｂの左右方向Ｘの中間部に貫通溝２０が位置している。貫通溝２０側からみると、貫通溝２０は、消しゴム１００の正面部１０１の左右方向の中間部位に位置しており、上下方向に延びている。
【００４３】
そして、消しゴム１００を取り出す場合には、図１０に示されるように、係止壁部３１によって、係止されている消しゴム１００ａを取り出す。
消しゴム１００ａを取り出すと、供給通路５内で上下方向Ｚに積み重ねられた消しゴム１００が自重によって、下方にスライドして移動し、最下部の消しゴム１００ｂは、傾斜壁部３０によって傾斜しながら、係止壁部３１に至り、係止壁部３１によって係止される。
そのため、常時消しゴム１００が係止壁部３１に載置された状態となり、消しゴム１００の連続供給が可能である。
【００４４】
ところで、導入口２から消しゴム１００を導入する際に、消しゴム１００が傾いて導入され、傾いた状態で供給通路５を通過する場合、図１１（ａ）に示されるように、消しゴム１００が供給通路５内で詰まる場合がある。
このような場合でも、本考案の壁掛け用消しゴム供給装置１によれば、貫通溝２０が上下方向に並んだ消しゴム１００の胴部上を通過するので、図１１（ａ），図１１（ｂ）から読み取れるように販売者等の指によって消しゴム１００を下方向に押圧することによって、消しゴム１００を上下方向に整列させることができ、消しゴム１００を下側にスライド移動させることができる。
【００４５】
本考案の壁掛け用消しゴム供給装置１によれば、貫通溝２０が導入口２から供給口３に向かって上下方向に延びているので、消しゴム１００の残量を視認することができる。
【００４６】
本考案の壁掛け用消しゴム供給装置１によれば、壁面固定部材７によって壁５０に吊り下げることができるため、容易に壁５０に設置することが可能である。
【００４７】
上記した実施形態では、壁掛け用消しゴム供給装置１は消しゴム１００の主面が正面を向いた姿勢で上下方向に整列させるものであったが、本考案はこれに限定されるものではなく、図１２のように消しゴム１００の主面が下方を向いた姿勢で上下方向に整列させるものでもよい。
【００４８】
上記した実施形態では、壁掛け用消しゴム供給装置１は壁面固定部材７によって吊り下げ部１１０に対して吊り下げて固定していたが、本考案はこれに限定されるものではなく、壁掛け用消しゴム供給装置１に固定穴等を設け、公知の締結要素によって壁５０に固定してもよい。
【００４９】
上記した実施形態では、壁掛け用消しゴム供給装置１を鉛直方向に延びた姿勢で壁５０に固定したが、本考案はこれに限定されるものではなく、鉛直方向に対してやや傾斜した姿勢で壁５０に固定してもよい。
【００５０】
上記した実施形態では、直方体の消しゴム１００を使用した場合について説明したが、本考案はこれに限定されるものではなく、消しゴムの形状は特に限定されない。安定した供給を実現する観点から、供給通路５内において、少なくとも平面上の上面と下面を備えている消しゴムであることが好ましい。
【００５１】
上記した実施形態では、係止壁部３１は、板状の壁部であったが、本考案はこれに限定されるものではなく、係止壁部３１は消しゴム１００を係止できれば、形状は問わない。例えば、棒状であってもよい。
【００５２】
上記した実施形態では、被供給物として消しゴム１００を供給する場合について記載したが、本考案はこれに限定されるものではなく、被供給物は消しゴム以外でもよい。
【符号の説明】
【００５３】
１  壁掛け用消しゴム供給装置（壁掛け用供給装置）
２  導入口
３  供給口
５  供給通路
６  落下防止部
７  壁面固定部材（固定部材）
１０  背面形成部
１５  正面形成部
２０  貫通溝
２１，２２  切り欠き部
３０  傾斜壁部
３１  係止壁部
５０  壁
１００  消しゴム（被供給物）
【図１】
0003195181.tif 000003
【図２】
0003195181.tif 000004
【図３】
0003195181.tif 000005
【図４】
0003195181.tif 000006
【図５】
0003195181.tif 000007
【図６】
0003195181.tif 000008
【図７】
0003195181.tif 000009
【図８】
0003195181.tif 000010
【図９】
0003195181.tif 000011
【図１０】
0003195181.tif 000012
【図１１】
0003195181.tif 000013
【図１２】
0003195181.tif 000014